(57)【要約】  式（Ｉ）の化合物、【化１】2012512293.tif 000117［式中、Ａ及びＢは請求項１において定義されたものである］、その調製法、及びその使用。
2012512293.tif 000002
【特許請求の範囲】
【請求項１】
式（Ｉ）の化合物
【化１】
2012512293.tif 000090
［式中、
Ａは、（Ｃ５〜Ｃ６）−シクロアルキル；５個若しくは６個の環員を有するヘテロシクロアルキル；５個若しくは６個の環員を有するヘテロアリール；基Ａｒ；（Ｃ１〜Ｃ３５）−アルキル；１個若しくは複数のヘテロ原子によって中断された（Ｃ２〜Ｃ３５）−アルキル；１個若しくは複数の置換基Ｇ１によって置換された（Ｃ１〜Ｃ３５）−アルキル；１個若しくは複数のヘテロ原子によって中断され、かつ１個若しくは複数の置換基Ｇ１によって置換された（Ｃ２〜Ｃ３５）−アルキルを表すか；又はＢの意味の一つを有し；
Ｇ１は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニル−アミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリール−カルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニル−アミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノ−スルホニルアミノ；（Ｃ１〜Ｃ３５）−アルキルチオ；アリールチオ；（Ｃ１〜Ｃ３５）−アルキルスルホニル、又はアリールスルホニルを表し；
Ａｒは、式（１）又は（２）の基を表し、
【化２】
2012512293.tif 000091
式中、
Ｒ１〜Ｒ７はそれぞれ独立して、水素；（Ｃ１〜Ｃ３５）−アルキル；単独又は多重にヘテロ原子で中断された（Ｃ２〜Ｃ３５）−アルキル、モノヒドロキシ−（Ｃ１〜Ｃ３５）−アルキル、ポリヒドロキシ−（Ｃ２〜Ｃ３５）アルキル、ビニルスルホニル、ヒドロキシエチルスルホニル、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ハロゲン；シアノ；ニトロ；ヒドロキシル；（Ｃ１〜Ｃ３５）−アルコキシ；アリール−（Ｃ１〜Ｃ３５）−アルコキシ、アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニル；又は式（２）若しくは（３）の置換基を表し；
【化３】
2012512293.tif 000092
式中、
Ｒ８〜Ｒ１０はそれぞれ独立して、（Ｃ５〜Ｃ６）−シクロアルキル；５個若しくは６個の環員を有するヘテロシクロアルキル；５個若しくは６個の環員を有するヘテロアリール；アリール；（Ｃ１〜Ｃ３５）−アルキル；１個若しくは複数のヘテロ原子によって中断された（Ｃ２〜Ｃ３５）−アルキル；１個若しくは複数の置換基Ｇ１によって置換された（Ｃ１〜Ｃ３５）−アルキル；又は、１個若しくは複数のヘテロ原子によって中断され、かつ１個若しくは複数の置換基Ｇ１によって置換された（Ｃ２〜Ｃ３５）−アルキルを表し；そしてＲ８及びＲ９がそれぞれ水素を表していてもよく；
Ｂは、式（４）の基を表し、
【化４】
2012512293.tif 000093
式中、
Ｔは、水素；（Ｃ１〜Ｃ３５）−アルキル；アリール；アリールオキシ；ヒドロキシル；（Ｃ１〜Ｃ３５）−アルコキシ；（Ｃ１〜Ｃ３５）−アルキル−アリールオキシ；式（５）の基、
【化５】
2012512293.tif 000094
又は式（６）の基を表し：
【化６】
2012512293.tif 000095
Ａ１及びＡ２はそれぞれ独立して、Ａについて定義された意味の一つを有するが、ただし、Ｔが式（５）又は（６）の基を表す場合には、Ｂを表すことができず；
Ｒ１１〜Ｒ１４はそれぞれ独立して、水素、（Ｃ１〜Ｃ３５）−アルキル、単独又は多重に酸素で中断された（Ｃ１〜Ｃ３５）−アルキル、アリール、アリール−（Ｃ１〜Ｃ３５）−アルキル、（Ｃ１〜Ｃ３５）−アルキル−アリール、アリールオキシ、（Ｃ１〜Ｃ３５）−アルコキシ、モノヒドロキシ−（Ｃ１〜Ｃ３５）−アルキル又はポリヒドロキシ−（Ｃ２〜Ｃ３５）−アルキルを表し；そして式（Ｉ）の分子の内部で互いに同一であるか、又は異なっており；
ｘ、ｙ、ｔ及びｚはそれぞれ独立して、０〜３０の有理数を表すが、ただし、Ｔが式（６）の基を表す場合には、ｘが０を表すことはなく；
Ｑ１〜Ｑ３はそれぞれ独立して、式（７）の基を表し；
【化７】
2012512293.tif 000096
式中、
ｒは、１〜２００の有理数を表し、そして式（Ｉ）の分子の内部で同一の意味か又は異なった意味を有し；
Ｒ１５及びＲ１６はそれぞれ独立して、水素、（Ｃ１〜Ｃ３５）−アルキル、単独又は多重に酸素で中断された（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）アルキルを表すが：ここで、Ｒ１５とＲ１６とがそれぞれ、式（Ｉ）の分子の内部で同一の意味か又は異なった意味を有し；Ｒ１５とＲ１６とが、式（Ｉ）の分子の内部で異なった意味を有している場合には、それらの異なった意味のものが、ランダムに分布するか、又はそれぞれ同一の意味のものの領域が交互に続き；
そしてここで、Ｔ基は、結合＊に結合され、Ｄが存在する場合には、結合＊＊に結合され；
Ｑ１、Ｒ１１、Ｔ及びｘはそれぞれ、式（Ｉ）の分子の内部で互いに同一であるか、又は異なっており；
Ｄは、式（８）の基を表し；
【化８】
2012512293.tif 000097
式中、
ａ、ｂ及びｃはそれぞれ独立して、０〜１５の数を表し；そして
Ｒ１７は、水素、（Ｃ１〜Ｃ３５）−アルキル、単独又は多重に酸素で中断された（Ｃ１〜Ｃ３５）−アルキル、アリールオキシ、（Ｃ１〜Ｃ３５）−アルコキシ、モノヒドロキシ−（Ｃ１〜Ｃ３５）アルキル、又はポリヒドロキシ−（Ｃ２〜Ｃ３５）−アルキルを表し；そして
上述の定義において、アリールは、式（９）又は（１０）の基を表し；
【化９】
2012512293.tif 000098
式中、
Ｒ１８〜Ｒ２４はそれぞれ独立して、水素；（Ｃ１〜Ｃ１２）−アルキル；モノヒドロキシ−（Ｃ１〜Ｃ６）−アルキル、ポリヒドロキシ−（Ｃ１〜Ｃ６）−アルキル、トリフルオロメチル；シクロ−（Ｃ３〜Ｃ８）−アルキル；ハロゲン；シアノ；ニトロ；ヒドロキシル；（Ｃ１〜Ｃ６）−アルコキシ；（Ｃ２〜Ｃ６）−アシル；（Ｃ２〜Ｃ６）−アシルアミノ；（Ｃ１〜Ｃ６）−アルキルスルホニルアミノ；カルバモイル；Ｎ−モノ−（Ｃ１〜Ｃ６）−アルキル−カルバモイル；Ｎ，Ｎ−ジ−（Ｃ１〜Ｃ６）−アルキル−カルバモイル；アミノ；モノ−（Ｃ１〜Ｃ６）−アルキル−アミノ；ジ−（Ｃ１〜Ｃ６）−アルキル−アミノ；アミノカルボニルアミノ；スルファモイル；Ｎ−モノ−（Ｃ１〜Ｃ６）−アルキル−スルファモイル；Ｎ，Ｎ−ジ−（Ｃ１〜Ｃ６）−アルキル−スルファモイル；アミノスルホニルアミノ；（Ｃ１〜Ｃ６）−アルキルチオ、又は（Ｃ１〜Ｃ６）−アルキルスルホニルを表し；
ここで、式（４）のＢ基の中で、Ｔが水素、アルキル又はアルコキシを表している場合には、ｒは、８〜２００の有理数を表すが；ただし
Ａ及びＢがそれぞれ、Ｔが（Ｃ１〜Ｃ３５）−アルキル、ヒドロキシル、又は（Ｃ１〜Ｃ３５）−アルコキシを表し、ｘが、２又は３を表し、そしてＲ１１がそれらの化合物の中で同一であって水素を表しているような式（４）の基を表しているような化合物は、除く］。
【請求項２】
式（Ｉａ）に合致する、請求項１に記載の化合物
【化１０】
2012512293.tif 000099
［式中、
Ｔ１は、水素、（Ｃ１〜Ｃ３５）アルキル、アリール、アリールオキシ、ヒドロキシル、（Ｃ１〜Ｃ３５）−アルコキシ、又は（Ｃ１〜Ｃ３５）−アルキル−アリールオキシを表し；
ｑは、１〜１０の数を表し；
Ｑ１ａは、Ｑ１の意味の一つを有し；
Ｒ１１ａは、Ｒ１１の意味の一つを有し；そして
Ａ３は、（Ｃ５〜Ｃ６）−シクロアルキル；５〜１０個の環員を有するヘテロシクロアルキル；５個若しくは６個の環員を有するヘテロアリール；（Ｃ１〜Ｃ３５）−アルキル；１個若しくは複数のヘテロ原子によって中断された（Ｃ２〜Ｃ３５）−アルキル、１個若しくは複数の置換基Ｇ２によって置換された（Ｃ１〜Ｃ３５）−アルキル；１個若しくは複数のヘテロ原子によって中断され、かつ１個若しくは複数の置換基Ｇ２によって置換された（Ｃ２〜Ｃ３５）−アルキルを表し；
Ｇ２は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリール−カルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニル−アミノ；（Ｃ１〜Ｃ３５）−アルキルチオ；アリールチオ；（Ｃ１〜Ｃ３５）−アルキルスルホニル、又はアリールスルホニルを表し；
ここで
アリールは、式（９ａ）又は（１０ａ）の基を表すが、
【化１１】
2012512293.tif 000100
式中、
Ｒ１８ａ〜Ｒ２４ａはそれぞれ独立して、水素；（Ｃ１〜Ｃ１２）−アルキル；トリフルオロメチル；シクロ−（Ｃ３〜Ｃ８）−アルキル；ハロゲン；シアノ；ニトロ；ヒドロキシル；（Ｃ１〜Ｃ６）−アルコキシ；（Ｃ２〜Ｃ６）−アシル；（Ｃ２〜Ｃ６）−アシルアミノ；（Ｃ１〜Ｃ６）−アルキルスルホニルアミノ；カルバモイル；Ｎ−モノ−（Ｃ１〜Ｃ６）−アルキル−カルバモイル；Ｎ，Ｎ−ジ−（Ｃ１〜Ｃ６）−アルキル−カルバモイル；アミノ；モノ−（Ｃ１〜Ｃ６）−アルキル−アミノ；ジ−（Ｃ１〜Ｃ６）−アルキル−アミノ；アミノカルボニルアミノ；スルファモイル；Ｎ−モノ−（Ｃ１〜Ｃ６）−アルキル−スルファモイル；Ｎ，Ｎ−ジ−（Ｃ１〜Ｃ６）−アルキル−スルファモイル；アミノスルホニルアミノ；（Ｃ１〜Ｃ６）−アルキルチオ、又は（Ｃ１〜Ｃ６）−アルキルスルホニルを表す］。
【請求項３】
式（Ｉｂ）に合致する、請求項１に記載の化合物
【化１２】
2012512293.tif 000101
［式中、
Ａ４は、請求項１において定義された基Ａｒを表し；
Ｔ１は、水素、（Ｃ１〜Ｃ３５）アルキル、アリール、アリールオキシ、ヒドロキシル、（Ｃ１〜Ｃ３５）−アルコキシ、又は（Ｃ１〜Ｃ３５）−アルキル−アリールオキシを表し；そして
Ｑ１ａ、Ｒ１１ａ及びｑはそれぞれ、請求項２において定義されたものである］。
【請求項４】
式（Ｉｃ）に合致する、請求項１に記載の化合物
【化１３】
2012512293.tif 000102
［式中、
Ｂ１は、式（４ａ）の基を表し、
【化１４】
2012512293.tif 000103
そして、
Ａ５は、式（４ｂ）の基を表し、
【化１５】
2012512293.tif 000104
式中、
Ｒ１１ａ及びＲ１１ｂはそれぞれ独立して、Ｒ１１の意味の一つを有し；
ｐ及びｑはそれぞれ独立して、１〜１０の数を表し；
Ｑ１ａ及びＱ１ｂはそれぞれ独立して、Ｑ１の意味の一つを有し；そして
Ｔ１及びＴ２はそれぞれ独立して、水素、（Ｃ１〜Ｃ３５）アルキル、アリール、アリールオキシ、ヒドロキシル、（Ｃ１〜Ｃ３５）−アルコキシ、又は（Ｃ１〜Ｃ３５）−アルキル−アリールオキシを表す］。
【請求項５】
式（Ｉｄ）に合致する、請求項１に記載の化合物
【化１６】
2012512293.tif 000105
［式中、
Ｒ１１ａ及びＲ１２はそれぞれ独立して、Ｒ１１の意味の一つを有し；
ｑは、１〜１０の数を表し；
ｎは、０〜１０の数を表し；
Ａ１ａは、Ａ３とは独立して、Ａ３の意味の一つを有し；そして
Ａ３及びＱ１ａはそれぞれ、請求項２において定義されたものである］。
【請求項６】
式（Ｉｅ）に合致する、請求項１に記載の化合物
【化１７】
2012512293.tif 000106
［式中、
Ｒ１１ａ及びＲ１２はそれぞれ独立して、Ｒ１１の意味の一つを有し；
ｑは、１〜１０の数を表し；
ｎは、０〜１０の数を表し；
Ａ１ｂは、Ａ４とは独立して、Ａ４の意味の一つを有し；そして
Ａ４は、請求項３において定義されたものであり；そしてＱ１ａは、請求項２において定義されたものである］。
【請求項７】
式（Ｉｆ）に合致する、請求項１に記載の化合物
【化１８】
2012512293.tif 000107
［式中、
Ａ１ｃは、式（４ｃ）の基を表し、
【化１９】
2012512293.tif 000108
そして、
Ａ５は、式（４ｄ）の基を表し、
【化２０】
2012512293.tif 000109
式中、
Ｒ１１ａ、Ｒ１２、Ｒ１２ａ、及びＲ１２ｂはそれぞれ独立して、Ｒ１１の意味の一つを有し；
ｑ、ｓ、及びｇはそれぞれ独立して、１〜１０の数を表し；
ｎは、０〜１０の数を表し；
Ｔ３及びＴ４はそれぞれ独立して、水素、（Ｃ１〜Ｃ３５）アルキル、アリール、アリールオキシ、（Ｃ１〜Ｃ３５）−アルコキシ、又は（Ｃ１〜Ｃ３５）−アルキル−アリールオキシを表し；
Ｑ１ｂ及びＱ１ｃはそれぞれ、Ｑ１ａとは独立して、Ｑ１ａの意味の一つを有し；そして
Ｑ１ａは、請求項２において定義されたものである］。
【請求項８】
式（Ｉｇ）に合致する、請求項１に記載の化合物
【化２１】
2012512293.tif 000110
［式中、
Ｒ１３及びＲ１４はそれぞれ独立して、Ｒ１１ａとは独立して、Ｒ１１ａの意味の一つを有し；
ｔ、ｗ、及びｚはそれぞれ独立して、０〜１０の数を表し；
Ｑ２及びＱ３はそれぞれ独立して、Ｑ１とは独立して、Ｑ１の意味の一つを有し；
Ｄは、式（８ａ）の基を表し；
【化２２】
2012512293.tif 000111
式中、
Ｒ１７ａは、水素又は（Ｃ１〜Ｃ３５）−アルキルを表し；そして
ｄ、ｅ、及びｆは独立して、０〜５の数を表し；
Ａ１ａ及びＡ２ａはそれぞれ独立して、Ａ３とは独立して、Ａ３の意味の一つを有し；そして
Ａ３及びＲ１１ａはそれぞれ、請求項２において定義されたものであり；そしてＱ１は、請求項１において定義されたものである］。
【請求項９】
式（Ｉｈ）に合致する、請求項１に記載の化合物
【化２３】
2012512293.tif 000112
［式中、
Ｒ１３及びＲ１４はそれぞれ独立して、Ｒ１１ａとは独立して、Ｒ１１ａの意味の一つを有し；
ｔ、ｗ、及びｚはそれぞれ独立して、０〜１０の数を表し；
Ｑ２及びＱ３はそれぞれ独立して、Ｑ１とは独立して、Ｑ１の意味の一つを有し；
Ｄは、式（８ａ）の基を表し；
【化２４】
2012512293.tif 000113
式中、
Ｒ１７ａは、水素又は（Ｃ１〜Ｃ３５）−アルキルを表し；そして
ｄ、ｅ、及びｆは独立して、０〜５の数を表し；
Ａ１ｂ及びＡ２ｂはそれぞれ独立して、Ａ４とは独立して、Ａ４の意味の一つを有し；そして
Ａ４は、請求項３において定義されたものであり；Ｒ１１ａは、請求項２において定義されたものであり；そしてＱ１は、請求項１において定義されたものである］。
【請求項１０】
請求項１に記載の式（Ｉ）の化合物を調製するためのプロセスであって、
式（ＩＩ）の化合物、
【化２５】
2012512293.tif 000114
又は式（ＶＩ）の化合物を、
【化２６】
2012512293.tif 000115
式（ＩＩＩ）の化合物及び式（ＩＶ）の化合物と縮合させることを含む、プロセス
【化２７】
2012512293.tif 000116
［式中、Ａ及びＢはそれぞれ、請求項１で定義されたものである］。
【請求項１１】
ポリマーを着色するための、請求項１〜９のいずれか１項に記載の式（Ｉ）の染料の使用。
【請求項１２】
請求項１〜９のいずれか１項に記載の式（Ｉ）の化合物及びキャリヤー物質を含む、マスターバッチ。
【発明の詳細な説明】
【背景技術】
【０００１】
染料を用いて各種の方法によりポリマーを着色することができる。一つの方法は、ポリマーの大量着色であって、その方法では、たとえば顔料又は染料をポリマーと混合し、そのポリマーを溶融させて、その染料をポリマーのマトリックスの中に送り込む。その他のプロセスとしては、着色された、あるいはさらに詳しくは、溶液又は分散体からポリマーの中に拡散する染料によって染色されたポリマーが挙げられるが、それらの例は、たとえば、分散染料、カチオン染料、酸性染料、含金属染料又は反応性染料を用いた、たとえばポリエステル、ポリアクリロニトリル、ポリウレタン、セルロース又はポリアミドからなるポリマー繊維の染色である。反応性染料を使用することによって、染料と基材との間に共有結合が生成し、それが染色／着色に特に高い堅牢性を与える。ポリマーを着色させるためのまた別な方法は、ポリマーを生成させるより前、又はポリマーを生成させている過程で、そのポリマーのモノマー又はオリゴマーに染料を添加する方法である。ポリマーの骨組みに対して共有結合を形成することが可能な染料では、同様にして、着色において高い堅牢性が得られるであろう。このために、それに使用される染料、より正確には、それらの染料発色団が重合条件下で充分な安定性を有していなければならない。
【０００２】
市販されている顔料をポリマーの大量着色に使用したときには、極めて高い堅牢性を有する着色ポリマーを与えるが、その着色は艶消しである、すなわち透明性に欠ける。ポリマーのための市販されている染料は通常、分散染料又は油溶性染料であって、ポリマーを着色させるために使用すると、その中で染料が、ほんの低い耐ブリード堅牢性しか有さないような着色ポリマーが得られる場合が多い。さらに、公知の染料の多くのものは、ポリオレフィン中における耐光堅牢性が劣っていたり、あるいは熱安定性が低かったりする。
【０００３】
ポリオレフィンにおいて、良好な耐ブリード堅牢性、良好な耐光堅牢性、良好な熱安定性、さらには高い彩度及び透明性を有し、しかも使用されたポリオレフィンの性質に悪影響を与えないような染料は、それほど多くは知られていない。
【０００４】
特許文献１にはペリレン染料の開示があるが、それらは、高い耐ブリード堅牢性及びウェットギャップ堅牢性が望まれるような場合には適していないので、上述の要件にはほんの部分的にしか適合しない。
【０００５】
特許文献２には、両方の窒素原子に結合したカルボキシ基及び／又はカルバモイル基を含む、脂肪族基を有するペリレンジイミドの記載がある。それらの染料は、ポリオレフィンの着色においては良好な結果を与えはするが、たとえば着色の透明性又は着色の熱安定性に関しては、依然として広範な要望が存在しつづけている。
【０００６】
特許文献３、特許文献４、特許文献５、及び特許文献６、並びに、非特許文献１、非特許文献２、及び非特許文献３にも、ポリ（オキシ）アルキル鎖を有するペリレン染料の記載がすでにあるが、ポリマーを着色するためにそれらを使用することの開示はない。
【先行技術文献】
【特許文献】
【０００７】
【特許文献１】欧州特許出願公開第０  ００６  １２２Ａ１号明細書
【特許文献２】欧州特許出願公開第０  ２８３  ４３６Ａ２号明細書
【特許文献３】特開２００６−０９８９２７号公報
【特許文献４】特開平１０−００６６４５号公報
【特許文献５】米国特許出願公開第２００７／０２２１９１３Ａ１号明細書
【特許文献６】国際公開第２００７／０９９０５９Ａ１号パンフレット
【非特許文献】
【０００８】
【非特許文献１】Ｊ．Ｐｈｙｓ．Ｃｈｅｍ．Ｂ．，3. Ｊｕｌｉ  ２００８，１１２，Ｓｕｐｐｏｒｔｉｎｇ  Ｉｎｆｏｒｍａｔｉｏｎ，Ｓ１〜Ｓ１３
【非特許文献２】Ｊ．Ｏｒｇ．Ｃｈｅｍ．，２００５，７０，８９５６〜８９６２
【非特許文献３】Ｃｈｅｍ．Ｍａｔｅｒ．，１９９８，１０，３６０３〜３６１０
【発明の概要】
【発明が解決しようとする課題】
【０００９】
したがって、前述の性質を有し、そのためにポリオレフィンを着色するのに有用であるような染料が必要とされている。
【課題を解決するための手段】
【００１０】
驚くべきことには、イミド基に対して特定の置換パターンを有するペリレンテトラカルボキシリックジイミドが、ポリオレフィン及びその他の基材を着色するための有用な染料となることが、今や見出された。それらは、適用条件下で高い安定性を有し、ポリマーに容易に可溶であるか又は適切な有機溶媒と混和性があり、高い耐ブリード堅牢性を有する、高度に透明性の高い着色を与える。
【発明を実施するための形態】
【００１１】
したがって、本発明は式（Ｉ）の化合物を提供する
【化１】
2012512293.tif 000003
［式中、
Ａは、（Ｃ５〜Ｃ６）−シクロアルキル；５個若しくは６個の環員を有するヘテロシクロアルキル；５個若しくは６個の環員を有するヘテロアリール；基Ａｒ；（Ｃ１〜Ｃ３５）−アルキル；１個若しくは複数のヘテロ原子によって中断された（Ｃ２〜Ｃ３５）−アルキル；１個若しくは複数の置換基Ｇ１によって置換された（Ｃ１〜Ｃ３５）−アルキル；１個若しくは複数のヘテロ原子によって中断され、かつ１個若しくは複数の置換基Ｇ１によって置換された（Ｃ２〜Ｃ３５）−アルキルを表すか；又はＢの意味の一つを有し；
Ｇ１は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニル−アミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリール−カルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニル−アミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノ−スルホニルアミノ；（Ｃ１〜Ｃ３５）−アルキルチオ；アリールチオ；（Ｃ１〜Ｃ３５）−アルキルスルホニル、又はアリールスルホニルを表し；
Ａｒは、式（１）又は（２）の基を表し、
【化２】
2012512293.tif 000004
式中、
Ｒ１〜Ｒ７はそれぞれ独立して、水素；（Ｃ１〜Ｃ３５）−アルキル；単独又は多重にヘテロ原子で中断された（Ｃ２〜Ｃ３５）−アルキル、モノヒドロキシ−（Ｃ１〜Ｃ３５）−アルキル、ポリヒドロキシ−（Ｃ２〜Ｃ３５）アルキル、ビニルスルホニル、ヒドロキシエチルスルホニル、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ハロゲン；シアノ；ニトロ；ヒドロキシル；（Ｃ１〜Ｃ３５）−アルコキシ；アリール−（Ｃ１〜Ｃ３５）−アルコキシ、アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニル；又は式（２）若しくは（３）の置換基を表し；
【化３】
2012512293.tif 000005
式中、
Ｒ８〜Ｒ１０はそれぞれ独立して、（Ｃ５〜Ｃ６）−シクロアルキル；５個若しくは６個の環員を有するヘテロシクロアルキル；５個若しくは６個の環員を有するヘテロアリール；アリール；（Ｃ１〜Ｃ３５）−アルキル；１個若しくは複数のヘテロ原子によって中断された（Ｃ２〜Ｃ３５）−アルキル；１個若しくは複数の置換基Ｇ１によって置換された（Ｃ１〜Ｃ３５）−アルキル；又は、１個若しくは複数のヘテロ原子によって中断され、かつ１個若しくは複数の置換基Ｇ１によって置換された（Ｃ２〜Ｃ３５）−アルキルを表し；そしてＲ８及びＲ９がそれぞれ水素を表していてもよく；
Ｂは、式（４）の基を表し、
【化４】
2012512293.tif 000006
式中、
Ｔは、水素；（Ｃ１〜Ｃ３５）−アルキル；アリール；アリールオキシ；ヒドロキシル；（Ｃ１〜Ｃ３５）−アルコキシ；（Ｃ１〜Ｃ３５）−アルキル−アリールオキシ；式（５）の基、
【化５】
2012512293.tif 000007
又は式（６）の基を表し：
【化６】
2012512293.tif 000008
Ａ１及びＡ２はそれぞれ独立して、Ａについて定義された意味の一つを有するが、ただし、Ｔが式（５）又は（６）の基を表す場合には、Ｂを表すことができず；
Ｒ１１〜Ｒ１４はそれぞれ独立して、水素、（Ｃ１〜Ｃ３５）−アルキル、単独又は多重に酸素で中断された（Ｃ１〜Ｃ３５）−アルキル、アリール、アリール−（Ｃ１〜Ｃ３５）−アルキル、（Ｃ１〜Ｃ３５）−アルキル−アリール、アリールオキシ、（Ｃ１〜Ｃ３５）−アルコキシ、モノヒドロキシ−（Ｃ１〜Ｃ３５）−アルキル又はポリヒドロキシ−（Ｃ２〜Ｃ３５）−アルキルを表し；そして式（Ｉ）の分子の内部で互いに同一であるか、又は異なっており；
ｘ、ｙ、ｔ及びｚはそれぞれ独立して、０〜３０の有理数を表すが、ただし、Ｔが式（６）の基を表す場合には、ｘが０を表すことはなく；
Ｑ１〜Ｑ３はそれぞれ独立して、式（７）の基を表し；
【化７】
2012512293.tif 000009
式中、
ｒは、１〜２００の有理数を表し、そして式（Ｉ）の分子の内部で同一の意味か又は異なった意味を有し；
Ｒ１５及びＲ１６はそれぞれ独立して、水素、（Ｃ１〜Ｃ３５）−アルキル、単独又は多重に酸素で中断された（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）アルキルを表すが：ここで、Ｒ１５とＲ１６とがそれぞれ、式（Ｉ）の分子の内部で同一の意味か又は異なった意味を有し；Ｒ１５とＲ１６とが、式（Ｉ）の分子の内部で異なった意味を有している場合には、それらの異なった意味のものが、ランダムに分布するか、又はそれぞれ同一の意味のものの領域が交互に続き；
そしてここで、Ｔ基は、結合＊に結合され、Ｄが存在する場合には、結合＊＊に結合され；
Ｑ１、Ｒ１１、Ｔ及びｘはそれぞれ、式（Ｉ）の分子の内部で互いに同一であるか、又は異なっており；
Ｄは、式（８）の基を表し；
【化８】
2012512293.tif 000010
式中、
ａ、ｂ及びｃはそれぞれ独立して、０〜１５の数を表し；そして
Ｒ１７は、水素、（Ｃ１〜Ｃ３５）−アルキル、単一又は多重に酸素で中断された（Ｃ１〜Ｃ３５）−アルキル、アリールオキシ、（Ｃ１〜Ｃ３５）−アルコキシ、モノヒドロキシ−（Ｃ１〜Ｃ３５）アルキル、又はポリヒドロキシ−（Ｃ２〜Ｃ３５）−アルキルを表し；そして
上述の定義において、アリールは、式（９）又は（１０）の基を表し；
【化９】
2012512293.tif 000011
式中、
Ｒ１８〜Ｒ２４はそれぞれ独立して、水素；（Ｃ１〜Ｃ１２）−アルキル；モノヒドロキシ−（Ｃ１〜Ｃ６）−アルキル、ポリヒドロキシ−（Ｃ１〜Ｃ６）−アルキル、トリフルオロメチル；シクロ−（Ｃ３〜Ｃ８）−アルキル；ハロゲン；シアノ；ニトロ；ヒドロキシル；（Ｃ１〜Ｃ６）−アルコキシ；（Ｃ２〜Ｃ６）−アシル；（Ｃ２〜Ｃ６）−アシルアミノ；（Ｃ１〜Ｃ６）−アルキルスルホニルアミノ；カルバモイル；Ｎ−モノ−（Ｃ１〜Ｃ６）−アルキル−カルバモイル；Ｎ，Ｎ−ジ−（Ｃ１〜Ｃ６）−アルキル−カルバモイル；アミノ；モノ−（Ｃ１〜Ｃ６）−アルキル−アミノ；ジ−（Ｃ１〜Ｃ６）−アルキル−アミノ；アミノカルボニルアミノ；スルファモイル；Ｎ−モノ−（Ｃ１〜Ｃ６）−アルキル−スルファモイル；Ｎ，Ｎ−ジ−（Ｃ１〜Ｃ６）−アルキル−スルファモイル；アミノスルホニルアミノ；（Ｃ１〜Ｃ６）−アルキルチオ、又は（Ｃ１〜Ｃ６）−アルキルスルホニルを表し；
ここで、式（４）のＢ基の中で、Ｔが水素、アルキル又はアルコキシを表している場合には、ｒは、８〜２００の有理数を表すが；ただし
Ａ及びＢがそれぞれ、Ｔが（Ｃ１〜Ｃ３５）−アルキル、ヒドロキシル、又は（Ｃ１〜Ｃ３５）−アルコキシを表し、ｘが、２又は３を表し、そしてＲ１１がそれらの化合物の中で同一であって水素を表しているような式（４）の基を表しているような化合物は、除く］。
【００１２】
上述の定義において、アルキル基は直鎖であっても、あるいは分岐していてもよく、たとえばメチル、エチル、ｎ−プロピル、イソプロピル、ｎ−ブチル又はイソブチルであるが、ヘキシルたとえばｎ−ヘキシル、ヘプチルたとえばｎ−ヘプチル、オクチルたとえばｎ−オクチル又はイソオクチル、ノニルたとえばｎ−ノニル、デシルたとえばｎ−デシル、ドデシルたとえばｎ−ドデシル、ヘキサデシルたとえばｎ−ヘキサデシル、又はオクタデシルたとえばｎ−オクタデシルであってもよい。同様のことが、アルコキシ及びアルキルチオ基の場合にも準用される。
【００１３】
アルキル基が１個若しくは複数のヘテロ原子によって中断されている場合、ヘテロ原子は、酸素、硫黄、スルホニル、カルボニル、さらには基ＮＲ２５であるが、ここでＲ２５は、（Ｃ１〜Ｃ６）−アルキル、モノヒドロキシ−（Ｃ１〜Ｃ６）−アルキル、ポリヒドロキシ−（Ｃ２〜Ｃ６）−アルキル、（Ｃ１〜Ｃ４）−アルキルオキシ−（Ｃ１〜Ｃ６）−アルキル、フェノキシ−（Ｃ１〜Ｃ６）−アルキル、又はフェニルを表す。
【００１４】
シクロアルキル基は、具体的には、シクロプロピル、シクロブチル、シクロペンチル、シクロヘキシル、シクロヘプチル、又はシクロオクチルである。
【００１５】
ヘテロシクロアルキルは、好ましくは、ピロリジン、ピペリジン、モルホリン、Ｎ−メチルピペラジン、又はピペラジンを表す。
【００１６】
ヘテロアリールは、ピリジン、ピリミジン、ピリダジン、ピラジン、ピロール、イミダゾール、ピラゾール、１，２，４−チアジアゾール、１，２，４−トリアゾール、テトラゾール、チオフェン、チアゾール、イソチアゾール、１，３，４−チアジアゾール、フラン、オキサゾール、イソオキサゾール、又はベンゾチアゾールであるのが好ましい。
【００１７】
ハロゲンは、具体的には、フッ素、塩素又は臭素である。
【００１８】
本発明による好ましい式（Ｉ）の染料は、式（Ｉａ）に合致する。
【化１０】
2012512293.tif 000012
［式中、
Ｔ１は、水素、（Ｃ１〜Ｃ３５）−アルキル、アリール、アリールオキシ、ヒドロキシル、（Ｃ１〜Ｃ３５）−アルコキシ、又は（Ｃ１〜Ｃ３５）−アルキル−アリールオキシを表し；
ｑは、１〜１０の数を表し；
Ｑ１ａは、Ｑ１の意味の一つを有し；
Ｒ１１ａは、Ｒ１１の意味の一つを有し；そして
Ａ３は、（Ｃ５〜Ｃ６）−シクロアルキル；５〜１０個の環員を有するヘテロシクロアルキル；５個若しくは６個の環員を有するヘテロアリール；（Ｃ１〜Ｃ３５）−アルキル；１個若しくは複数のヘテロ原子によって中断された（Ｃ２〜Ｃ３５）−アルキル、；１個若しくは複数の置換基Ｇ２によって置換された（Ｃ１〜Ｃ３５）−アルキル；１個若しくは複数のヘテロ原子によって中断され、かつ１個若しくは複数の置換基Ｇ２によって置換された（Ｃ２〜Ｃ３５）−アルキルを表し；
Ｇ２は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリール−カルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニル−アミノ；（Ｃ１〜Ｃ３５）−アルキルチオ；アリールチオ；（Ｃ１〜Ｃ３５）−アルキルスルホニル、又はアリールスルホニルを表し；
ここで、
アリールは、式（９ａ）又は（１０ａ）の基を表すが、
【化１１】
2012512293.tif 000013
式中、
Ｒ１８ａ〜Ｒ２４ａはそれぞれ独立して、水素；（Ｃ１〜Ｃ１２）−アルキル；トリフルオロメチル；シクロ−（Ｃ３〜Ｃ８）−アルキル；ハロゲン；シアノ；ニトロ；ヒドロキシル；（Ｃ１〜Ｃ６）−アルコキシ；（Ｃ２〜Ｃ６）−アシル；（Ｃ２〜Ｃ６）−アシルアミノ；（Ｃ１〜Ｃ６）−アルキルスルホニルアミノ；カルバモイル；Ｎ−モノ−（Ｃ１〜Ｃ６）−アルキル−カルバモイル；Ｎ，Ｎ−ジ−（Ｃ１〜Ｃ６）−アルキル−カルバモイル；アミノ；モノ−（Ｃ１〜Ｃ６）−アルキル−アミノ；ジ−（Ｃ１〜Ｃ６）−アルキル−アミノ；アミノカルボニルアミノ；スルファモイル；Ｎ−モノ−（Ｃ１〜Ｃ６）−アルキル−スルファモイル；Ｎ，Ｎ−ジ−（Ｃ１〜Ｃ６）−アルキル−スルファモイル；アミノスルホニルアミノ；（Ｃ１〜Ｃ６）−アルキルチオ、又は（Ｃ１〜Ｃ６）−アルキルスルホニルを表す］。
【００１９】
式（Ｉａ）の特に好ましい化合物においては、
Ｔ１は、（Ｃ１〜Ｃ３５）−アルコキシ、ヒドロキシル、（Ｃ１〜Ｃ３５）−アルキル、又は（Ｃ１〜Ｃ３５）−アルキル−アリールオキシを表し；
Ｒ１１ａは、水素又は（Ｃ１〜Ｃ１５）アルキルを表し；
ｑは、１、２又は３を表し；
Ｑ１ａは、式（７）の基を表し、
式中、
ｒは、８〜１００の有理数を表し、そして式（Ｉａ）の分子の内部で同一の意味か又は異なった意味を有し；
Ｒ１５及びＲ１６はそれぞれ独立して、水素又は（Ｃ１〜Ｃ３５）−アルキルを表すが、ここでＲ１５とＲ１６とは、式（Ｉａ）の分子の内部で同一の意味か又は異なった意味を有し；そしてここで、Ｒ１５とＲ１６とはそれぞれ、（Ｉａ）の分子の内部で同一の意味か又は異なった意味を有し；そしてここで、式（Ｉａ）の分子の内部で異なった意味を有している場合には、それらの異なった意味のものが、ランダムに分布するか、又はそれぞれ同一の意味のものの領域が交互に続き；そして
Ａ３は、基Ａ３ａを表すが、ここでＡ３ａは、（Ｃ５〜Ｃ６）−シクロアルキル；５個若しくは６個の環員を有するヘテロシクロアルキル；５個若しくは６個の環員を有するヘテロアリール；（Ｃ１〜Ｃ３５）−アルキル；１個若しくは複数のヘテロ原子によって中断された（Ｃ２〜Ｃ３５）−アルキル、１個若しくは複数の置換基Ｇ３によって置換された（Ｃ１〜Ｃ３５）−アルキル；１個若しくは複数のヘテロ原子によって中断され、かつ１個若しくは複数の置換基Ｇ３によって置換された（Ｃ２〜Ｃ３５）−アルキルを表し；
Ｇ３は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ヒドロキシル；（Ｃ１〜Ｃ３５）−アルコキシ；アリールオキシ；（Ｃ２〜Ｃ３５）−アシル又はアリールカルボニルを表すが；
ここで、
アリールは、式（９ｂ）又は（１０ｂ）の基を表すが、
【化１２】
2012512293.tif 000014
式中、
Ｒ１８ｂ〜Ｒ２４ｂはそれぞれ独立して、水素、（Ｃ１〜Ｃ６）−アルキル；トリフルオロメチル；シクロ−（Ｃ３〜Ｃ８）−アルキル；ハロゲン；シアノ；ニトロ；ヒドロキシル；（Ｃ１〜Ｃ６）−アルコキシ；（Ｃ２〜Ｃ６）−アシル；（Ｃ２〜Ｃ６）−アシルアミノ；（Ｃ１〜Ｃ６）−アルキルチオ、又は（Ｃ１〜Ｃ６）−アルキルスルホニルを表す。
【００２０】
式（Ｉａ）の極めて特に好ましい化合物においては、
Ｔ１は、（Ｃ１〜Ｃ１５）−アルコキシ、特にメトキシ；又は（Ｃ１〜Ｃ１０）−アルキル−フェノキシを表し；
Ｒ１１ａは、水素又は（Ｃ１〜Ｃ４）アルキル、特にメチルを表し；
ｑは、２を表し；
Ｑ１ａは、式（７）の基を表し、
式中、
ｒは、８〜３５の有理数であり、そして式（Ｉａ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉａ）の分子の内部で同一の意味か又は異なった意味を有し；ここで、Ｒ１５とＲ１６とが、式（Ｉａ）の分子の内部で異なった意味を有している場合には、それぞれ同一の意味のものの領域が交互に続き；そして
Ａ３は、（Ｃ６〜Ｃ２０）−アルキル；（Ｃ１〜Ｃ８）−アルコキシ−（Ｃ１〜Ｃ４）−アルキル；ヒドロキシ−（Ｃ１〜Ｃ４）−アルコキシ−（Ｃ１〜Ｃ４）−アルキル；シクロヘキシル；シクロヘキシル−（Ｃ１〜Ｃ４）−アルキル；Ｎ−メチルピペラジニル、ベンゾチアゾリル、又はＤ−（Ｃ１〜Ｃ４）−アルキルを表すが、
式中、
Ｄは、ナフチル若しくはモルホリン；又は式（１１）の基を表し；
【化１３】
2012512293.tif 000015
式中、
Ｒ２６及びＲ２７はそれぞれ独立して、水素、塩素、フッ素、又は（Ｃ１〜Ｃ４）−アルコキシ、特にメトキシを表す。
【００２１】
式（Ｉａ）の化合物は、たとえば式（Ｉａａ）に合致する。
【化１４】
2012512293.tif 000016
［式中、
Ｔ１は、（Ｃ１〜Ｃ１５）−アルコキシ、特にメトキシ；又は（Ｃ１〜Ｃ１０）−アルキル−フェノキシを表し；
Ｑ１ａは、式（７）の基を表し、
式中、
ｒは、８〜３５の有理数であり、そして式（Ｉａ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉａ）の分子の内部で同一の意味か又は異なった意味を有し；ここで、Ｒ１５とＲ１６とが、式（Ｉａ）の分子の内部で異なった意味を有している場合には、それぞれ同一の意味のものの領域が交互に続き；そして
Ａ３は、（Ｃ６〜Ｃ２０）−アルキル；（Ｃ１〜Ｃ８）−アルコキシ−（Ｃ１〜Ｃ４）−アルキル；ヒドロキシ−（Ｃ１〜Ｃ４）−アルコキシ−（Ｃ１〜Ｃ４）−アルキル；シクロヘキシル；シクロヘキシル−（Ｃ１〜Ｃ４）−アルキル；Ｎ−メチルピペラジニル、ベンゾチアゾリル、又はＤ−（Ｃ１〜Ｃ４）−アルキルを表すが,
式中、
Ｄは、ナフチル若しくはモルホリン；又は式（１１）の基を表し；
【化１５】
2012512293.tif 000017
式中、
Ｒ２６及びＲ２７はそれぞれ独立して、水素、塩素、フッ素、又は（Ｃ１〜Ｃ４）−アルコキシ、特にメトキシを表す］。
【００２２】
式（Ｉａ）の化合物の例は、式（Ｉａ１）〜（Ｉａ２９）の化合物である。
【化１６】
2012512293.tif 000018
【化１７】
2012512293.tif 000019
【化１８】
2012512293.tif 000020
【化１９】
2012512293.tif 000021
【化２０】
2012512293.tif 000022
【００２３】
本発明によるさらに好ましい式（Ｉ）の染料は、式（Ｉｂ）に合致する。
【化２１】
2012512293.tif 000023
［式中、
Ａ４は、先に定義された基Ａｒを表し；
Ｔ１は、水素、（Ｃ１〜Ｃ３５）アルキル、アリール、アリールオキシ、ヒドロキシル、（Ｃ１〜Ｃ３５）−アルコキシ、又は（Ｃ１〜Ｃ３５）−アルキル−アリールオキシを表し；そして
Ｑ１ａ、Ｒ１１ａ及びｑはそれぞれ、先に定義されたものである］。
【００２４】
式（Ｉｂ）の特に好ましい化合物においては、
Ｔ１は、（Ｃ１〜Ｃ３５）−アルコキシ、ヒドロキシル、（Ｃ１〜Ｃ３５）−アルキル、又は（Ｃ１〜Ｃ３５）−アルキル−アリールオキシを表し；
Ｒ１１ａは、水素又は（Ｃ１〜Ｃ１５）アルキルを表し；
ｑは、１、２又は３を表し；
Ｑ１ａは、式（７）の基を表し、
式中、
ｒは、８〜１００の有理数を表し、そして式（Ｉｂ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｂ）の分子の内部で同一の意味か又は異なった意味を有し、ここでＲ１５とＲ１６とが、式（Ｉｂ）の分子の内部で異なった意味を有している場合には、それらの異なった意味のものが、ランダムに分布するか、又はそれぞれ同一の意味のものの領域が交互に続き；
Ａ４は、基Ａ４ａを表すが、ここでＡ４ａは、式（１ａ）又は（２ａ）を表し、
【化２２】
2012512293.tif 000024
式中、
Ｒ１ａ〜Ｒ３ａはそれぞれ独立して、水素；（Ｃ１〜Ｃ３５）−アルキル；１個若しくは複数のヘテロ原子によって中断された（Ｃ２〜Ｃ３５）−アルキル、ビニルスルホニル、ヒドロキシエチルスルホニル、トリフルオロメチル；シクロ−（Ｃ５−Ｃ６）−アルキル；アリール；ハロゲン；シアノ；ニトロ；ヒドロキシル；（Ｃ１〜Ｃ３５）−アルコキシ；アリール−（Ｃ１〜Ｃ３５）−アルコキシ、アリールオキシ；（Ｃ２〜Ｃ３５）−アシル；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノ−（Ｃ１〜Ｃ３５）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；（Ｃ１〜Ｃ３５）−アルコキシカルボニル；アリールオキシカルボニル；アミノカルボニルアミノ；スルファモイル；Ｎ−モノ−（Ｃ１〜Ｃ３５）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；アミノスルホニルアミノ；（Ｃ１〜Ｃ３５）−アルキルチオ；アリールチオ；（Ｃ１〜Ｃ３５）−アルキルスルホニル、又はアリールスルホニルを表し；
Ｒ４ａ〜Ｒ７ａはそれぞれ独立して、水素、ビニルスルホニル、又はヒドロキシエチルスルホニルを表し；そして
Ｒ１ａ〜Ｒ７ａはそれぞれさらに、式（２ａ）又は（３ａ）の置換基を表し、
【化２３】
2012512293.tif 000025
式中、
Ｒ８ａ〜Ｒ１０ａはそれぞれ独立して、（Ｃ５〜Ｃ６）−シクロアルキル；５個若しくは６個の環員を有するヘテロシクロアルキル；アリール；（Ｃ１〜Ｃ３５）−アルキル；１個若しくは複数のヘテロ原子によって中断された（Ｃ２〜Ｃ３５）−アルキル；１個若しくは複数の置換基Ｇ３によって置換された（Ｃ１〜Ｃ３５）−アルキル；又は、１個若しくは複数のヘテロ原子によって中断され、かつ１個若しくは複数の置換基Ｇ３によって置換された（Ｃ２〜Ｃ３５）−アルキルを表し；そしてＲ８ａ及びＲ９ａがそれぞれ水素を表していてもよく；
Ｇ３は、トリフルオロメチル；シクロ−（Ｃ５〜Ｃ６）−アルキル；アリール；５個若しくは６個の環員を有するヘテロアリール；５個若しくは６個の環員を有するヘテロシクロアルキル；ヒドロキシル；（Ｃ１〜Ｃ３５）−アルコキシ；アリールオキシ；（Ｃ２〜Ｃ３５）−アシル又はアリールカルボニルを表し；そして
アリールは、式（９ｂ）の基又は式（１０ｃ）の基を表す。
【化２４】
2012512293.tif 000026
【００２５】
式（Ｉｂ）の極めて特に好ましい化合物においては、
Ｔ１は、（Ｃ１〜Ｃ１５）−アルコキシ、特にメトキシ；又は（Ｃ１〜Ｃ１０）−アルキル−フェノキシを表し；
Ｒ１１ａは、水素又は（Ｃ１〜Ｃ４）アルキル、特にメチルを表し；
ｑは、２を表し；
Ｑ１ａは、式（７）の基を表し、
式中、
ｒは、８〜３５の有理数であり、そして式（Ｉｂ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｂ）の分子の内部で同一の意味か又は異なった意味を有し；ここで、Ｒ１５とＲ１６とが、式（Ｉｂ）の分子の内部で異なった意味を有している場合には、それぞれ同一の意味のものの領域が交互に続き；そして
Ａ４は、ナフチル；ビニルスルホニル若しくはヒドロキシエチルスルホニル−置換されたナフチル；又は式（１２）の基を表し、
【化２５】
2012512293.tif 000027
式中、
Ｒ２８及びＲ２９はそれぞれ独立して、水素；（Ｃ１〜Ｃ１５）−アルキル、たとえばメチル；トリフルオロメチル；フッ素、；アセチルアミノ；ビニルスルホニル；ヒドロキシエチルスルホニル；アミノスルホニル；フェニル；クロロフェニル；フェノキシ；クロロフェノキシ；又は式（１３）の基を表し、
【化２６】
2012512293.tif 000028
式中、
Ｒ３０は、水素；（Ｃ１〜Ｃ６）−アルキル、たとえばブチル若しくはヘキシル；又は（Ｃ１〜Ｃ４）−アルコキシ−（Ｃ１〜Ｃ４）−アルキル、たとえばメトキシエチルを表し；そして
Ｒ３１は、（Ｃ１〜Ｃ１８）−アルキル、たとえばブチル、ヘキシル若しくはオクタデシル；（Ｃ１〜Ｃ８）−アルコキシ−（Ｃ１〜Ｃ４）−アルキル、たとえばメトキシエチル；又はヒドロキシ−（Ｃ１〜Ｃ４）−アルコキシ−（Ｃ１〜Ｃ４）アルキル、たとえばヒドロキシブトキシプロピルを表す。
【００２６】
式（Ｉｂ）の化合物は、たとえば式（Ｉｂａ）に合致する。
【化２７】
2012512293.tif 000029
［式中、
Ｔ１は、（Ｃ１〜Ｃ１５）−アルコキシ、特にメトキシ；又は（Ｃ１〜Ｃ１０）−アルキル−フェノキシを表し；
Ｑ１ａは、式（７）の基を表し、
式中、
ｒは、８〜３５の有理数であり、そして式（Ｉｂａ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｂａ）の分子の内部で同一の意味か又は異なった意味を有し；ここで、Ｒ１５とＲ１６とが、式（Ｉｂａ）の分子の内部で異なった意味を有している場合には、それぞれ同一の意味のものの領域が交互に続き；そして
Ａ４は、ナフチル；ビニルスルホニル若しくはヒドロキシエチルスルホニル−置換されたナフチル；又は式（１２）の基を表し、
【化２８】
2012512293.tif 000030
式中、
Ｒ２８及びＲ２９はそれぞれ独立して、水素；（Ｃ１〜Ｃ１５）−アルキル、たとえばメチル；トリフルオロメチル；フッ素、；アセチルアミノ；ビニルスルホニル；ヒドロキシエチルスルホニル；アミノスルホニル；フェニル；クロロフェニル；フェノキシ；クロロフェノキシ；又は式（１３）の基を表し、
【化２９】
2012512293.tif 000031
式中、
Ｒ３０は、水素；（Ｃ１〜Ｃ６）−アルキル、たとえばブチル若しくはヘキシル；又は（Ｃ１〜Ｃ４）−アルコキシ−（Ｃ１〜Ｃ４）−アルキル、たとえばメトキシエチルを表し；そして
Ｒ３１は、（Ｃ１〜Ｃ１８）−アルキル、たとえばブチル、ヘキシル若しくはオクタデシル；（Ｃ１〜Ｃ８）−アルコキシ−（Ｃ１〜Ｃ４）−アルキル、たとえばメトキシエチル；又はヒドロキシ−（Ｃ１〜Ｃ４）−アルコキシ−（Ｃ１〜Ｃ４）アルキル、たとえばヒドロキシブトキシプロピルを表す］。
【００２７】
式（Ｉｂ）の化合物の例は、式（Ｉｂ１）〜（Ｉｂ２８）の化合物である。
【化３０】
2012512293.tif 000032
【化３１】
2012512293.tif 000033
【化３２】
2012512293.tif 000034
【化３３】
2012512293.tif 000035
【００２８】
本発明によるさらに好ましい式（Ｉ）の染料は、式（Ｉｃ）に合致する。
【化３４】
2012512293.tif 000036
［式中、
Ｂ１は、式（４ａ）の基を表し、
【化３５】
2012512293.tif 000037
そして、
Ａ５は、式（４ｂ）の基を表し、
【化３６】
2012512293.tif 000038
式中、
Ｒ１１ａ及びＲ１１ｂはそれぞれ独立して、Ｒ１１の意味の一つを有し；
ｐ及びｑはそれぞれ独立して、１〜１０の数を表し；
Ｑ１ａ及びＱ１ｂはそれぞれ独立して、Ｑ１の意味の一つを有し；そして
Ｔ１及びＴ２はそれぞれ独立して、水素、（Ｃ１〜Ｃ３５）アルキル、アリール、アリールオキシ、ヒドロキシル、（Ｃ１〜Ｃ３５）−アルコキシ、又は（Ｃ１〜Ｃ３５）−アルキル−アリールオキシを表す］。
【００２９】
式（Ｉｃ）の特に好ましい化合物においては、
Ｔ１及びＴ２はそれぞれ独立して、（Ｃ１〜Ｃ３５）−アルコキシ、ヒドロキシル、（Ｃ１〜Ｃ３５）−アルキル、又は（Ｃ１〜Ｃ３５）−アルキル−アリールオキシを表し；
Ｒ１１ａ及びＲ１１ｂはそれぞれ独立して、水素又は（Ｃ１〜Ｃ１５）−アルキルを表し；
ｑ及びｐはそれぞれ独立して、１、２又は３を表し；そして
Ｑ１ａ及びＱ１ｂはそれぞれ独立して、式（７）の基を表すが、
式中、
ｒは、Ｑ１ａの場合においては８〜１００の、Ｑ１ｂの場合においては１〜１００の有理数であり、それぞれ、式（Ｉｃ）の分子の内部で同一の意味か又は異なった意味を有しており；
Ｒ１５及びＲ１６はそれぞれ独立して、水素又は（Ｃ１〜Ｃ３５）−アルキルを表すが、ここで、Ｒ１５とＲ１６とが、式（Ｉｃ）の分子の内部で同一の意味か又は異なった意味を有し、ここでＲ１５とＲ１６とが、式（Ｉｃ）の分子の内部で異なった意味を有している場合には、それらの異なった意味のものが、ランダムに分布するか、又はそれぞれ同一の意味のものの領域が交互に続く。
【００３０】
式（Ｉｃ）の極めて特に好ましい化合物においては、
Ｔ１及びＴ２はそれぞれ独立して、（Ｃ１〜Ｃ１５）−アルコキシ、特にメトキシ；又は（Ｃ１〜Ｃ１０）−アルキル−フェノキシを表し；
Ｒ１１ａ及びＲ１１ｂはそれぞれ独立して、水素又は（Ｃ１〜Ｃ４）−アルキル、特にメチルを表し；
ｑ及びｐはそれぞれ、２を表し；
Ｑ１ａ及びＱ１ｂはそれぞれ独立して、式（７）の基を表すが、
式中、
ｒは、Ｑ１ａの場合においては８〜４０の、Ｑ１ｂの場合においては１〜１０の有理数であり、それぞれの場合において、式（Ｉｃ）の分子の内部で同一の意味か又は異なった意味を有しており；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｃ）の分子の内部で同一の意味か又は異なった意味を有し；ここで、Ｒ１５とＲ１６とが、式（Ｉｃ）の分子の内部で異なった意味を有している場合には、それぞれ同一の意味のものの領域が交互に続く。
【００３１】
式（Ｉｃ）の化合物は、たとえば式（Ｉｃａ）に合致する。
【化３７】
2012512293.tif 000039
［式中、
Ｔ１及びＴ２はそれぞれ独立して、（Ｃ１〜Ｃ１５）−アルコキシ、特にメトキシ；又は（Ｃ１〜Ｃ１０）−アルキル−フェノキシを表し；
Ｑ１ａ及びＱ１ｂはそれぞれ独立して、式（７）の基を表すが、
式中、
ｒは、Ｑ１ａの場合においては８〜４０の、Ｑ１ｂの場合においては１〜１０の有理数であり、それぞれの場合において、式（Ｉｃａ）の分子の内部で同一の意味か又は異なった意味を有しており；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｃａ）の分子の内部で同一の意味か又は異なった意味を有し；ここで、Ｒ１５とＲ１６とが、式（Ｉｃａ）の分子の内部で異なった意味を有している場合には、それぞれ同一の意味のものの領域が交互に続く］。
【００３２】
式（Ｉｃｂ）の化合物
【化３８】
2012512293.tif 000040
［ｒは、１〜２００の有理数であって、先に定義されたものであり、Ｔ３は、ヒドロキシル又は（Ｃ１〜Ｃ４）−アルコキシを表す］は、式（１）の範囲から除外するのが好ましい。
【００３３】
式（Ｉｃ）の化合物の例は、式（Ｉｃ１）〜（Ｉｃ７）の化合物である。
【化３９】
2012512293.tif 000041
【００３４】
本発明によるさらに好ましい式（Ｉ）の染料は、式（Ｉｄ）に合致する。
【化４０】
2012512293.tif 000042
［式中、
Ｒ１１ａ及びＲ１２はそれぞれ独立して、Ｒ１１の意味の一つを有し；
ｑは、１〜１０の数を表し；
ｎは、０〜１０の数を表し；
Ａ１ａは、Ａ３とは独立して、Ａ３の意味の一つを有し；そして
Ａ３及びＱ１ａはそれぞれ、先に定義されたものである］。
【００３５】
式（Ｉｄ）の化合物において、Ａ１ａとＡ３とは、同一であっても、異なっていてもよいが、同一であるのが好ましい。
【００３６】
式（Ｉｄ）の特に好ましい化合物においては、
Ｒ１１ａ及びＲ１２はそれぞれ独立して、水素又は（Ｃ１〜Ｃ１５）アルキルを表し；
ｑは、１、２又は３を表し；
ｎは、０、１、２、又は３を表し；
Ｑ１ａは、式（７）の基を表し、
式中、
ｒは、１〜１００の有理数を表し、そして式（Ｉｄ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｄ）の分子の内部で同一の意味か又は異なった意味を有し、ここでＲ１５とＲ１６とが、式（Ｉｄ）の分子の内部で異なった意味を有している場合には、それらの異なった意味のものが、ランダムに分布するか、又はそれぞれ同一の意味のものの領域が交互に続き；そして
Ａ１ａ及びＡ３はそれぞれ独立して、基Ａ３ａを表すが、ここでＡ３ａは先に定義されたものである。
【００３７】
式（Ｉｄ）の極めて特に好ましい化合物においては、
ｑは、２又は３を表し；
ｎは、０又は１を表し；
Ｒ１１ａ及びＲ１２はそれぞれ独立して、水素又はメチルを表し；
Ｑ１ａは、式（７）の基を表し、
式中、
ｒは、２〜６８の有理数を表し、そして式（Ｉｄ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とは、式（Ｉｄ）の分子の内部で同一の意味か又は異なった意味を有し；ここで、Ｒ１５とＲ１６とが、式（Ｉｄ）の分子の内部で異なった意味を有している場合には、それぞれ同一の意味のものの領域が交互に続き：そして
Ａ１ａ及びＡ３はそれぞれ独立して、（Ｃ１０〜Ｃ２０）−アルキル；シクロヘキシル；Ｎ−メチル−ピペラジニル；ベンゾチアゾリル；又はシクロヘキシル、モルホリニル、（Ｃ１〜Ｃ４）−アルコキシ、特にメトキシ、ヒドロキシ−（Ｃ１〜Ｃ４）−アルコキシ、ナフチル、若しくは式（１４）の基によって置換された（Ｃ１〜Ｃ４）−アルキルを表す
【化４１】
2012512293.tif 000043
［式中、Ｒ３２及びＲ３３はそれぞれ独立して、水素、フッ素、塩素、又は（Ｃ１〜Ｃ４）−アルコキシ、特にメトキシを表す］。
【００３８】
式（Ｉｄ）の化合物の例は、式（Ｉｄ１）〜（Ｉｄ４０）の化合物である。
【化４２】
2012512293.tif 000044
【化４３】
2012512293.tif 000045
【化４４】
2012512293.tif 000046
【化４５】
2012512293.tif 000047
【化４６】
2012512293.tif 000048
【００３９】
本発明によるさらに好ましい式（Ｉ）の染料は、式（Ｉｅ）に合致する。
【化４７】
2012512293.tif 000049
［式中、
Ｒ１１ａ及びＲ１２はそれぞれ独立して、Ｒ１１の意味の一つを有し；
ｑは、１〜１０の数を表し；
ｎは、０〜１０の数を表し；
Ａ１ｂは、Ａ４とは独立して、Ａ４の意味の一つを有し；そして
Ａ４及びＱ１ａは、先に定義されたものである］。
【００４０】
式（Ｉｅ）の化合物において、Ａ１ｂとＡ４とは、同一であっても、異なっていてもよいが、同一であるのが好ましい。
【００４１】
式（Ｉｅ）の特に好ましい化合物においては、
Ｒ１１ａ及びＲ１２はそれぞれ独立して、水素又は（Ｃ１〜Ｃ１５）アルキルを表し；
ｑは、１、２又は３を表し；
ｎは、０、１、２、又は３を表し；
Ｑ１ａは、式（７）の基を表し、
式中、
ｒは、１〜１００の有理数を表し、そして式（Ｉｅ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｄ）の分子の内部で同一の意味か又は異なった意味を有し、ここでＲ１５とＲ１６とが、式（Ｉｄ）の分子の内部で異なった意味を有している場合には、それらの異なった意味のものが、ランダムに分布するか、又はそれぞれ同一の意味のものの領域が交互に続き；そして
Ａ４及びＡ１ｂはそれぞれ独立して、基Ａ４ａを表すが、ここでＡ４ａは先に定義されたものである。
【００４２】
式（Ｉｅ）の極めて特に好ましい化合物においては、
ｑは、２又は３を表し；
ｎは、０又は１を表し；
Ｒ１１ａ及びＲ１２はそれぞれ独立して、水素又はメチルを表し；
Ｑ１ａは、式（７）の基を表し、
式中、
ｒは、３〜３３の有理数を表し、そして式（Ｉｅ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とは、式（Ｉｅ）の分子の内部で同一の意味か又は異なった意味を有し；ここで、Ｒ１５とＲ１６とが、式（Ｉｅ）の分子の内部で異なった意味を有している場合には、それぞれ同一の意味のものの領域が交互に続き：そして
Ａ４及びＡ１ｂはそれぞれ独立して、ナフチル；ビニルスルホニル若しくはヒドロキシエチルスルホニル−置換されたナフチル；又は式（１２ａ）の基を表し、
【化４８】
2012512293.tif 000050
式中、
Ｒ２８ａ及びＲ２９ａはそれぞれ独立して、水素；（Ｃ１〜Ｃ１５）−アルキル、たとえばメチル若しくはドデシル；トリフルオロメチル；フッ素；ビニルスルホニル；ヒドロキシエチルスルホニル；アミノスルホニル；フェニル；フェノキシ；クロロフェノキシ；又は式（１３ａ）の基を表し、
【化４９】
2012512293.tif 000051
式中、
Ｒ３０ａは、水素；又は（Ｃ１〜Ｃ４）−アルコキシ−（Ｃ１〜Ｃ４）−アルキル、たとえばメトキシエチルを表し；そして
Ｒ３１ａは、（Ｃ１〜Ｃ１２）−アルキル、たとえばドデシル；（Ｃ１〜Ｃ８）−アルコキシ−（Ｃ１〜Ｃ４）−アルキル、たとえばメトキシエチル；又はヒドロキシ−（Ｃ１〜Ｃ４）−アルコキシ−（Ｃ１〜Ｃ４）アルキル、たとえばヒドロキシブトキシプロピルを表す。
【００４３】
式（Ｉｅ）の化合物の例は、式（Ｉｅ１）〜（Ｉｅ２４）の化合物である。
【化５０】
2012512293.tif 000052
【化５１】
2012512293.tif 000053
【化５２】
2012512293.tif 000054
【化５３】
2012512293.tif 000055
【００４４】
本発明によるさらに好ましい式（Ｉ）の染料は、式（Ｉｆ）に合致する。
【化５４】
2012512293.tif 000056
［式中、
Ａ１ｃは、式（４ｃ）の基を表し、
【化５５】
2012512293.tif 000057
そして、
Ａ５は、式（４ｄ）の基を表し、
【化５６】
2012512293.tif 000058
式中、
Ｒ１１ａ、Ｒ１２、Ｒ１２ａ、及びＲ１２ｂはそれぞれ独立して、Ｒ１１の意味の一つを有し；
ｑ、ｓ、及びｇはそれぞれ独立して、１〜１０の数を表し；
ｎは、０〜１０の数を表し；
Ｔ３及びＴ４はそれぞれ独立して、水素、（Ｃ１〜Ｃ３５）アルキル、アリール、アリールオキシ、（Ｃ１〜Ｃ３５）−アルコキシ、又は（Ｃ１〜Ｃ３５）−アルキル−アリールオキシを表し；
Ｑ１ｂ及びＱ１ｃはそれぞれ、Ｑ１ａとは独立して、Ｑ１ａの意味の一つを有し；そして
Ｑ１ａは、先に定義されたものである］。
【００４５】
式（Ｉｆ）の化合物において、Ａ１ｃとＡ５とは、同一であっても、異なっていてもよいが、同一であるのが好ましい。
【００４６】
式（Ｉｆ）の特に好ましい化合物においては、
Ｒ１１ａ、Ｒ１２、Ｒ１２ａ及びＲ１２ｂはそれぞれ独立して、水素又は（Ｃ１〜Ｃ１５）アルキルを表し；
ｑ、ｓ及びｇはそれぞれ独立して、１、２又は３を表し；
ｎは、０、１、２、又は３を表し；
Ｔ３及びＴ４はそれぞれ独立して、（Ｃ１〜Ｃ３５）−アルコキシ、（Ｃ１〜Ｃ３５）−アルキル、又は（Ｃ１〜Ｃ３５）−アルキル−アリールオキシを表し；
Ｑ１ａ、Ｑ１ｂ、及びＱ１ｃはそれぞれ独立して、式（７）の基を表すが、
式中、
ｒは、１〜１００の有理数を表し、そして式（Ｉｆ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｄ）の分子の内部で同一の意味か又は異なった意味を有し、ここでＲ１５とＲ１６とが、式（Ｉｄ）の分子の内部で異なった意味を有している場合には、それらの異なった意味のものが、ランダムに分布するか、又はそれぞれ同一の意味のものの領域が交互に続く。
【００４７】
式（Ｉｆ）の極めて特に好ましい化合物においては、
ｓ及びｇはそれぞれ、２を表し；
ｑは、２又は３を表し；
ｎは、０又は１を表し；
Ｒ１１ａ、Ｒ１２、Ｒ１２ａ及びＲ１２ｂはそれぞれ独立して、水素又はメチルを表し；
Ｑ１ａは、式（７）の基を表し、
式中、
ｒは、２〜３３の有理数を表し、そして式（Ｉｆ）の分子の内部で同一の意味か又は異なった意味を有し；
Ｑ１ｂ及びＱ１ｃはそれぞれ独立して、式（７）の基を表すが、
式中、
ｒは、１〜９の有理数を表し、そして式（Ｉｆ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とは、式（Ｉｆ）の分子の内部で同一の意味か又は異なった意味を有し；ここで、Ｒ１５とＲ１６とが、式（Ｉｆ）の分子の内部で異なった意味を有している場合には、それぞれ同一の意味のものの領域が交互に続き：そして
Ｔ３及びＴ４はそれぞれ独立して、（Ｃ１〜Ｃ１５）−アルコキシ又はノニルフェノキシを表す。
【００４８】
式（Ｉｆ）の化合物の例は、式（Ｉｆ１）〜（Ｉｆ１１）の化合物である。
【化５７】
2012512293.tif 000059
【化５８】
2012512293.tif 000060
【００４９】
本発明によるさらに好ましい式（Ｉ）の染料は、式（Ｉｇ）に合致する。
【化５９】
2012512293.tif 000061
［式中、
Ｒ１３及びＲ１４はそれぞれ独立して、Ｒ１１ａとは独立して、Ｒ１１ａの意味の一つを有し；
ｔ、ｗ、及びｚはそれぞれ独立して、０〜１０の数を表し；
Ｑ２及びＱ３はそれぞれ独立して、Ｑ１とは独立して、Ｑ１の意味の一つを有し；
Ｄは、式（８ａ）の基を表し；
【化６０】
2012512293.tif 000062
式中、
Ｒ１７ａは、水素又は（Ｃ１〜Ｃ３５）−アルキルを表し；そして
ｄ、ｅ、及びｆは独立して、０〜５の数を表し；
Ａ１ａ及びＡ２ａはそれぞれ独立して、Ａ３とは独立して、Ａ３の意味の一つを有し；そして
Ａ３、Ｒ１１ａ及びＱ１はそれぞれ、先に定義されたものである］。
【００５０】
式（Ｉｇ）の特に好ましい化合物においては、
Ｒ１１ａ、Ｒ１３、及びＲ１４はそれぞれ独立して、水素又は（Ｃ１〜Ｃ１５）アルキルを表し；
ｔ、ｗ、及びｚはそれぞれ独立して、０、１、又は２を表し；
Ｑ１、Ｑ２、及びＱ３はそれぞれ独立して、式（７）の基を表し；
式中、
ｒは、１〜１００の有理数を表し、そして式（Ｉｇ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｇ）の分子の内部で同一の意味か又は異なった意味を有し、ここでＲ１５とＲ１６とが、式（Ｉｇ）の分子の内部で異なった意味を有している場合には、それらの異なった意味のものが、ランダムに分布するか、又はそれぞれ同一の意味のものの領域が交互に続き；
Ｄは、式（８ａ）の基を表し；
式中、
Ｒ１７ａは、（Ｃ１〜Ｃ４）−アルキルを表し、ｄ、ｅ、及びｆはそれぞれ独立して、０〜５の数を表し；そして
Ａ３、Ａ１ａ及びＡ２ａはそれぞれ独立して、基Ａ３ａを表すが、ここでＡ３ａは先に定義されたものである。
【００５１】
式（Ｉｇ）の極めて特に好ましい化合物においては、
ｔ、ｗ、及びｚはそれぞれ、０を表し；
Ｑ１、Ｑ２、及びＱ３はそれぞれ独立して、式（７）の基を表し；
式中、
Ｑ１、Ｑ２及びＱ３における添え字ｒの総計は、５〜６の有理数を表していて、式（Ｉｇ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｇ）の分子の内部で同一の意味か又は異なった意味を有し；ここで、Ｒ１５とＲ１６とが、式（Ｉｇ）の分子の内部で異なった意味を有している場合には、それぞれ同一の意味のものの領域が交互に続き；
Ａ１ａ、Ａ２ａ、及びＡ３はそれぞれ、（Ｃ６〜Ｃ１２）−アルキル；（Ｃ１〜Ｃ８）−アルコキシ−（Ｃ１〜Ｃ４）−アルキル；シクロヘキシル；Ｎ−メチルピペラジニル、ベンゾチアゾリル、又はＤ１−（Ｃ１〜Ｃ４）−アルキルを表し、
式中、
Ｄ１は、ナフチル、モルホリニル、フェニル、フルオロフェニル、又はジメトキシフェニルを表し；
Ｒ１７ａは、エチルを表し；そして
ｄ、ｅ、及びｆはそれぞれ、１を表す。
【００５２】
式（Ｉｇ）の化合物の例は、式（Ｉｇ１）〜（Ｉｇ１５）の化合物である。
【化６１】
2012512293.tif 000063
【化６２】
2012512293.tif 000064
【化６３】
2012512293.tif 000065
【化６４】
2012512293.tif 000066
【化６５】
2012512293.tif 000067
【００５３】
本発明によるさらに好ましい式（Ｉ）の染料は、式（Ｉｈ）に合致する。
【化６６】
2012512293.tif 000068
［式中、
Ｒ１３及びＲ１４はそれぞれ独立して、Ｒ１１ａとは独立して、Ｒ１１ａの意味の一つを有し；
ｔ、ｗ、及びｚはそれぞれ独立して、０〜１０の数を表し；
Ｑ２及びＱ３はそれぞれ独立して、Ｑ１とは独立して、Ｑ１の意味の一つを有し；
Ｄは、式（８ａ）の基を表し；
【化６７】
2012512293.tif 000069
式中、
Ｒ１７ａは、水素又は（Ｃ１〜Ｃ３５）−アルキルを表し；そして
ｄ、ｅ、及びｆは独立して、０〜５の数を表し；
Ａ１ｂ及びＡ２ｂはそれぞれ独立して、Ａ４とは独立して、Ａ４の意味の一つを有し；そして
Ａ４、Ｒ１１ａ及びＱ１はそれぞれ、先に定義されたものである］。
【００５４】
式（Ｉｈ）の特に好ましい化合物においては、
Ｒ１１ａ、Ｒ１３、及びＲ１４はそれぞれ独立して、水素又は（Ｃ１〜Ｃ１５）アルキルを表し；
ｔ、ｗ、及びｚはそれぞれ独立して、０、１、又は２を表し；
Ｑ１、Ｑ２、及びＱ３はそれぞれ独立して、式（７）の基を表し；
式中、
ｒは、１〜１００の有理数を表し、そして式（Ｉｈ）の分子の内部で同一の意味か又は異なった意味を有し；
Ｒ１５及びＲ１６はそれぞれ独立して、水素又は（Ｃ１〜Ｃ３５）−アルキルを表すが、ここで、Ｒ１５とＲ１６とが、式（Ｉｈ）の分子の内部で同一の意味か又は異なった意味を有し、ここでＲ１５とＲ１６とが、式（Ｉｈ）の分子の内部で異なった意味を有している場合には、それらの異なった意味のものが、ランダムに分布するか、又はそれぞれ同一の意味のものの領域が交互に続き；
Ｄは、式（８ａ）の基を表し；
式中、
Ｒ１７ａは、（Ｃ１〜Ｃ４）−アルキルを表し；そして
ｄ、ｅ、及びｆはそれぞれ独立して、０〜５の数を表し；そして
Ａ４、Ａ１ｂ、及びＡ２ｂはそれぞれ独立して、基Ａ４ａを表すが、ここでＡ４ａは先に定義されたものである。
【００５５】
式（Ｉｈ）の極めて特に好ましい化合物においては、
ｔ、ｗ、及びｚはそれぞれ、０を表し；
Ｑ１、Ｑ２、及びＱ３はそれぞれ独立して、式（７）の基を表し；
式中、
Ｑ１、Ｑ２及びＱ３における添え字ｒの総計は、５〜５０の有理数を表していて、式（Ｉｇ）の分子の内部で同一の意味か又は異なった意味を有し；
Ｒ１５及びＲ１６はそれぞれ独立して、水素又は（Ｃ１〜Ｃ４）−アルキル、特にメチルを表すが；ここでＲ１５とＲ１６とはそれぞれ、式（Ｉｇ）の分子の内部で同一の意味か又は異なった意味を有し；ここで、Ｒ１５とＲ１６とが、式（Ｉｇ）の分子の内部で異なった意味を有している場合には、それぞれ同一の意味のものの領域が交互に続き；
Ａ１ｂ、Ａ２ｂ、及びＡ４はそれぞれ、ナフチル；ビニルスルホニル若しくはヒドロキシエチルスルホニル−置換されたナフチル；又は式（１２）の基を表し；
【化６８】
2012512293.tif 000070
式中、
Ｒ２８及びＲ２９はそれぞれ独立して、水素；（Ｃ１〜Ｃ１５）−アルキル、たとえばメチル；トリフルオロメチル；塩素；フッ素；ビニルスルホニル；ヒドロキシエチルスルホニル；フェニル；クロロフェノキシ；又は式（１３）の基を表し、
【化６９】
2012512293.tif 000071
式中、
Ｒ３０は、水素；又は（Ｃ１〜Ｃ４）−アルコキシ−（Ｃ１〜Ｃ４）−アルキル、たとえばメトキシエチルを表し；そして
Ｒ３１は、（Ｃ１〜Ｃ１２）−アルキル、たとえばドデシル；（Ｃ１〜Ｃ８）−アルコキシ−（Ｃ１〜Ｃ４）−アルキル、たとえばメトキシエチル；ヒドロキシ−（Ｃ１〜Ｃ４）−アルコキシ−（Ｃ１〜Ｃ４）アルキル、たとえばヒドロキシブトキシプロピル；又はジメチルフェニル、を表し；
Ｒ１７ａは、水素又はエチルを表し；そして
ｄ、ｅ、及びｆはそれぞれ、１を表す。
【００５６】
式（Ｉｈ）の化合物の例は、式（Ｉｈ１）〜（Ｉｈ１９）の化合物である。
【化７０】
2012512293.tif 000072
【化７１】
2012512293.tif 000073
【化７２】
2012512293.tif 000074
【化７３】
2012512293.tif 000075
【化７４】
2012512293.tif 000076
【化７５】
2012512293.tif 000077
【００５７】
式（Ｉ）の染料は、式（ＩＩ）の化合物、
【化７６】
2012512293.tif 000078
又は式（ＶＩ）の化合物を、
【化７７】
2012512293.tif 000079
式（ＩＩＩ）の化合物及び式（ＩＶ）の化合物と縮合させることによって得られる
【化７８】
2012512293.tif 000080
［式中、Ａ及びＢはそれぞれ、先に定義されたものである］。
【００５８】
これらの縮合反応は、好ましくは８０〜２８０℃、より好ましくは９０〜２２０℃の温度で、好ましくは触媒の存在下で実施する。好適な触媒は、キノリン、ピペラジン、ピリジン、ピコリン、又は重金属塩、好ましくは亜鉛塩、より好ましくは酢酸亜鉛である。
【００５９】
その反応は、無溶媒、不活性溶媒中、又は不活性溶媒混合物中で実施することができる。
【００６０】
溶媒を使用しない場合には、使用する出発化合物を過剰に使用して、その反応を実施するのが有利である。有用な溶媒として以下のものが挙げられる：アルコール類たとえば、ｎ−ブタノール、ｎ−ペンタノール、１−メトキシ−２−プロパノール、２−エチルヘキサノール、２−メチル−１−ブタノール、イソアミルアルコール、ベンジルアルコール、シクロヘキサノール、グリコール及び若しくはそれらの誘導体たとえば、エチレングリコールジエチルエーテル、エチレングリコールモノメチルエーテル、エチレングリコールモノエチルエーテル、エチレングリコールモノイソプロピルエーテル、エチレングリコールモノブチルエーテル、ジエチレングリコールジメチルエーテル、ジエチレングリコールジエチルエーテル、ジエチレングリコールモノメチルエーテル、エチレングリコール、ジエチレングリコールモノエチルエーテル、ジプロピレングリコール、エーテル類たとえば、ジブチルエーテル、ジイソブチルエーテル、ジイソアミルエーテル、ジ−ｎ−アミルエーテル、塩素化溶媒類たとえば、クロロベンゼン若しくは１，２−ジクロロベンゼン、又はさらなる極性若しくは無極性の不活性溶媒類たとえば、フェノール、イミダゾール、エチルベンゼン、アニソール、Ｎ，Ｎ−ジメチルホルムアミド、Ｎ，Ｎ−ジメチルアセトアミド、スルホラン、Ｎ−メチルピロリドン、トルエン、１，２−キシレン、１，３−キシレン、１，４−キシレン、又はそれらの混合物。
【００６１】
ＡとＢとが同一である場合には、式（ＩＩＩ）及び（ＩＶ）の化合物を、好ましくは式（ＩＩ）の化合物との混合物の中で反応させることができる。
【００６２】
ＡとＢとが同一ではない場合には、具体的には、縮合反応は、特に式（ＶＩ）の化合物から進めて、形成される中間体を途中で単離させるか、又は単離させずに、連続的に実施する。
【００６３】
式（ＩＩＩ）及び（ＶＩ）の化合物から得ることが可能な中間体は、式（Ｖ）の化合物である
【化７９】
2012512293.tif 000081
［式中、Ａは先に定義されたものである］。これは、たとえば、式（ＩＶａ）の化合物
【化８０】
2012512293.tif 000082
［式中、Ｒ１１ａ、Ｑ１ａ、Ｔ１、及びｑはそれぞれ、先に定義されたものである］と反応させて、式（Ｉａ）又は（Ｉｂ）の化合物を形成させることができるし、その一方で、式（ＩＶｂ）の化合物
【化８１】
2012512293.tif 000083
［式中、Ｒ１１ｂ、Ｑ１ｂ、Ｔ３、及びｐはそれぞれ、先に定義されたものである］と反応させれば、式（Ｉｃ）の化合物が得られる。
【００６４】
式（Ｖ）の化合物を、式（ＩＶｃ）の化合物
【化８２】
2012512293.tif 000084
［式中、Ｒ１１ａ、Ｒ１２、Ｑ１、ｑ、及びｙはそれぞれ、先に定義されたものである］と反応させると、それぞれ式（Ｉｄ）、（Ｉｅ）、又は（Ｉｆ）の化合物が得られる。
【００６５】
最後に、式（Ｉｇ）又は（Ｉｈ）の化合物は、式（Ｖ）の化合物を式（ＩＶｄ）の化合物と反応させると、形成される
【化８３】
2012512293.tif 000085
［式中、Ｒ１１ａ、Ｒ１３、Ｒ１４、Ｑ１〜Ｑ３、Ｄ、ｗ、ｔ、及びｚはそれぞれ、先に定義されたものである］。
【００６６】
式（ＩＩ）の化合物は公知であって、過酸の慣用名のもとに市販されている。
【００６７】
式（ＶＩ）の化合物は公知であり、文献たとえばＤｙｅｓ  ａｎｄ  Ｐｉｇｍｅｎｔｓ，（４）１９８３，１７１ｆｆで公知の方法に従って、調製することができる。
【００６８】
同様にして、式（ＩＩＩ）及び（ＩＶ）の化合物も公知であり、市場で入手可能であるか、又は公知の方法に従って得ることができる。
【００６９】
好適な式（ＩＶ）の化合物は、Ｈｕｎｔｓｍａｎ（Ｔｈｅ  Ｗｏｏｄｌａｎｄｓ，ＴＸ，ＵＳＡ）からＪｅｆｆａｍｉｎｅ（登録商標）の商品名で販売されている化合物である。例としては、以下のものが挙げられる：Ｊｅｆｆａｍｉｎｅ  Ｍ−６００、Ｊｅｆｆａｍｉｎｅ  Ｍ−２００５、Ｊｅｆｆａｍｉｎｅ  Ｍ−２０７０、Ｊｅｆｆａｍｉｎｅ  Ｍ−１０００、Ｊｅｆｆａｍｉｎｅ  Ｄ−２３０、Ｊｅｆｆａｍｉｎｅ  Ｄ−４００、Ｊｅｆｆａｍｉｎｅ  Ｄ−２０００、Ｊｅｆｆａｍｉｎｅ  Ｄ−４０００、Ｊｅｆｆａｍｉｎｅ  ＨＫ−５１１、Ｊｅｆｆａｍｉｎｅ  ＥＤ−６００、Ｊｅｆｆａｍｉｎｅ  ＥＤ−９００、Ｊｅｆｆａｍｉｎｅ  ＥＤ−２００３、Ｊｅｆｆａｍｉｎｅ  ＥＤ−２００１、Ｊｅｆｆａｍｉｎｅ  ＥＤＲ−１４８、Ｊｅｆｆａｍｉｎｅ  ＥＤＲ−１７６、Ｊｅｆｆａｍｉｎｅ  Ｔ−４０３、Ｊｅｆｆａｍｉｎｅ  Ｍ−３０００、Ｊｅｆｆａｍｉｎｅ  Ｔ−５０００、Ｊｅｆｆａｍｉｎｅ  ＸＴＪ−４３５、又はＪｅｆｆａｍｉｎｅ  ＸＴＪ−４３６。これらの化合物を使用すると、得られる式（Ｉ）の染料は、統計的なポリマー性混合物を形成する。
【００７０】
式（Ｉ）の染料は、合成した後で、濾過、抽出、又は蒸発、さらには必要であれば乾燥によって単離することができる。しかしながら、さらなる作業を施すことなく、使用することもできる。
【００７１】
本発明による式（Ｉ）の染料は、ポリマーの着色に直接使用することもできるし、あるいは、それらを仕上（コンディショニング）操作にかけることによりそれらを販売可能な染料調製物とする。
【００７２】
仕上げ操作は、単一の式（Ｉ）の染料から、又は２種以上の式（Ｉ）の染料の混合物から、又は１種若しくは複数の式（Ｉ）の染料とその他の染料タイプたとえば顔料若しくは油溶性染料の染料との混合物から、適切であるならば、助剤たとえば表面変性剤及び分散剤の助けを借りて、液体若しくは固体のキャリヤー物質の中に分散、懸濁又は溶解させ、さらには適切であるならば、所望の色強度及び所望の色相に標準化させ、そして適切であるならばそのようにして得られた調製物を乾燥させることにより、実施することができる。
【００７３】
式（Ｉ）の染料を含む調製物には、粘度／流動性を変性するための助剤をさらに含んでいてもよい。
【００７４】
そのタイプの有用な助剤は、たとえば米国特許第６，６０５，１２６号明細書に記載されている。好適な例としては、エチレングリコール、プロピレングリコール、ポリエーテルポリオール、ポリエステルポリオール、ラクトン、又は炭酸エステルが挙げられる。
【００７５】
したがって、本発明はさらに、１種若しくは複数の式（Ｉ）の染料と、粘度／流動性を改良するための１種若しくは複数の助剤とを含む染料調製物も提供する。
【００７６】
それらの染料調製物には、いずれも染料調製物を基準にして、５％〜１００重量％の量の１種若しくは複数の式（Ｉ）の染料と、０％〜９５重量％の量の粘度／流動性を改良するための１種若しくは複数の助剤とを含んでいるのが好ましい。
【００７７】
本発明はさらに、ポリマーを着色するための、本発明による式（Ｉ）の染料の使用も提供する。
【００７８】
ここで可能な手順は、式（Ｉ）の染料をポリマーと混合する方法である。
【００７９】
さらに、本発明による式（Ｉ）の染料を、マスターバッチの形態で使用することもまた可能である。マスターバッチは、キャリヤー物質と着色剤とからなる染料コンセントレートであって、その着色剤が、最終用途の場合よりも高い濃度で存在しており、またそのキャリヤー物質は、着色される物質との相溶性を有するように構成されている。使用されるキャリヤー物質は、ポリマー、たとえばポリオレフィン、ポリウレタン、ポリ塩化ビニル、ポリエステル、ポリアミド、ポリカーボネート、又はポリスチレンとすることができる。好適なポリマーは、ポリオレフィン、たとえばポリエチレン又はポリプロピレン、又はポリオレフィンとのコポリマーである。有用なキャリヤー物質としては、パラフィンオイル又はポリグリコールがさらに挙げられる。それらの染料マスターバッチは特に、それらが、５％〜６０重量％の量の１種若しくは複数の本発明による式（Ｉ）の染料と４０％〜９５重量％の量の１種若しくは複数のキャリヤー物質とを含むことを特徴としている。
【００８０】
式（Ｉ）の染料は、市販されている油溶性染料に比較して、特にポリオレフィン物質の着色において、ブリード／移行堅牢性において利点を有している。それらの利点は、ポリプロピレン、ポリプロピレンコポリマー及びポリプロピレンブレンド物の着色において特に顕著である。着色されたポリマーにおいて良好な耐ブリード堅牢性を達成するためには、十分に高いモル質量を有する式（Ｉ）の化合物を使用するのが好ましい。
【００８１】
本発明を説明するために以下の実施例を挙げるが、本発明がそれらの実施例に限定されることはない。部及びパーセントは、特に記さない限り、重量基準である。重量部と容積部の関係は、キログラムとリットルの関係に等しい。
【実施例】
【００８２】
実施例１
ａ）
１３．１５部の式（ＩＶｅ）の化合物、
【化８４】
2012512293.tif 000086
（Ｊｅｆｆａｍｉｎｅ（登録商標）Ｍ−６００として市販）、３．９８部の式（ＩＩ）の化合物、２０部のイミダゾール、及び１．４部の酢酸亜鉛二水化物の混合物を、２００℃で４時間撹拌する。冷却して５０℃としてから、その反応混合物をトルエン中に導入し、混合物を水と混合し、相分離させる。洗浄を繰り返してから、硫酸ナトリウム上でその有機相を乾燥させ、蒸発乾固させると、式（Ｉｃ１）の化合物が得られる。
【００８３】
ｂ）
２．４ｇのａ）で得られた染料を、１ｋｇのポリプロピレンペレット（Ｂａｓｅｌｌ製のＭｏｐｌｅｎ  ＲＰ３４０Ｒ）に適用する。得られたマスターバッチを、１ｋｇのポリプロピレンペレット（Ｂａｓｅｌｌ製のＭｏｐｌｅｎ  ＲＰ３４０Ｒ）に添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０  Ｃ  １０００−１００）で加工して、透明で赤色のサンプルプラックを成形することができる。その染料は、ｐｒＥＮ１４４６９−４において高い耐ブリード堅牢性、ＥＮ１２８７７−２において熱に対する高い色安定性、そしてＥＮ ＩＳＯ  １０５−Ｂ０１において高い耐光堅牢性を有している。
【００８４】
実施例２
ａ）
２６．０５部の式（ＶＩ）の化合物、１８．４部の２−エチルヘキシルアミン、及び１５０ｇの水の混合物を、９０℃で４時間加熱する。酸性化させてから、生成した沈殿物を濾過し、中性になるまで洗浄し、乾燥させると式（Ｖａ）の化合物が得られる。
【化８５】
2012512293.tif 000087
ｂ）
２２．０部の式（ＩＶｆ）の市販の化合物
【化８６】
2012512293.tif 000088
（Ｊｅｆｆａｍｉｎｅ（登録商標）Ｔ−４０３として市販）、３．９８部の式（ＩＩ）の化合物、５０部のイミダゾール、７．５５ｇ部のａ）で得られた式（Ｖａ）の化合物、及び０．８３部の酢酸亜鉛二水化物の混合物を、２００℃で８時間撹拌する。冷却して５０℃としてから、その反応混合物にメタノールを混合する。単離された沈殿物を、精製のために、メタノールと共に５０℃で撹拌し、濾過し、乾燥させると、式（Ｉｇ３）の化合物が得られる。
【００８５】
ｃ）
１ｇのｂ）により得られた染料を、乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０  Ｃ  １０００−１００）で加工して、透明で赤色のサンプルプラックを成形することができる。その染料は、ｐｒＥＮ１４４６９−４において高い耐ブリード堅牢性、ＥＮ１２８７７−２において熱に対する良好な色安定性、そしてＥＮ ＩＳＯ  １０５−Ｂ０１において良好な耐光堅牢性を有している。
【００８６】
実施例３
ａ）
７．１３部の実施例１ａ）に記載の式（ＩＶｅ）の化合物、２５部のイミダゾール、４．８部の実施例２ａ）で調製した式（Ｖａ）の化合物、及び０．５３部の酢酸亜鉛二水化物の混合物を、２００℃で２時間撹拌する。冷却して５０℃としてから、その反応混合物にメタノールを混合する。単離された沈殿物を、精製のために、メタノールと共に５０℃で撹拌し、濾過し、乾燥させると、式（Ｉａ１）の化合物が得られる。
【００８７】
ｂ）
ｂ）１ｇのａ）により得られた染料を、全部で２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０  Ｃ  １０００−１００）で加工して、透明で赤色のサンプルプラックを成形することができる。その染料は、ｐｒＥＮ１４４６９−４において高い耐ブリード堅牢性、ＥＮ１２８７７−２において熱に対する高い色安定性、そしてＥＮ ＩＳＯ  １０５−Ｂ０１において高い耐光堅牢性を有している。
【００８８】
実施例４
ａ）
３０．９４部の式（ＶＩ）の化合物、１２．９１部の４−フェニルブチルアミン、及び７５ｇの水の混合物を、９０℃で７時間加熱する。酸性化させてから、生成した沈殿物を濾過し、中性になるまで洗浄し、乾燥させると式（Ｖｂ）の化合物が得られる。
【化８７】
2012512293.tif 000089
【００８９】
ｂ）
７．１３部の実施例１ａ）に記載の式（ＩＶｅ）の化合物、２５部のイミダゾール、５．０部のａ）で調製した式（Ｖｂ）の化合物、及び０．５３部の酢酸亜鉛二水化物の混合物を、２００℃で２時間撹拌する。冷却して５０℃としてから、その反応混合物にメタノールを混合する。単離された沈殿物を、精製のために、メタノールと共に５０℃で撹拌し、濾過し、乾燥させると、式（Ｉａ６）の化合物が得られる。
【００９０】
ｂ）
１ｇのｂ）により得られた染料を、全部で２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０  Ｃ  １０００−１００）で加工して、透明で赤色のサンプルプラックを成形することができる。その染料は、ｐｒＥＮ１４４６９−４において高い耐ブリード堅牢性、ＥＮ１２８７７−２において熱に対する良好な色安定性、そしてＥＮ ＩＳＯ  １０５−Ｂ０１において良好な耐光堅牢性を有している。
【国際調査報告】
2012512293.tif 000118
2012512293.tif 000119
2012512293.tif 000120